(57)【要約】【課題】本発明は、シールリングの取付けに手間や労力を不要とし、作業性を大幅に向上させ、更に、スリーブと可撓管との間のシール不良の発生を防ぐことを課題とする。【解決手段】建物基礎２内にスリーブ３を貫通させ、該スリーブ３内には下流端部または上流下流両端部に接続ソケット５を取付けた可撓管４を挿入し、該可撓管４の屋内上流側は屋内排水設備からの内部排水管７に集合ますを介しまたは集合ますを介することなく連絡し、該可撓管４の屋外下流側は該可撓管４の下流端部に取付けられている接続ソケット５に屋外排水設備からの外部排水管８を接続して差出した排水管路構造１を提供する。【選択図】    図１
2004162324.tif 000002
【特許請求の範囲】
【請求項１】
建物基礎内にスリーブを貫通させ、該スリーブ内には下流端部または上流下流両端部に接続ソケットを取付けた可撓管を挿入し、該可撓管の屋内上流側は屋内排水設備からの内部排水管に集合ますを介しまたは集合ますを介することなく連絡し、該可撓管の屋外下流側は該可撓管の下流端部に取付けられている接続ソケットに屋外排水設備からの外部排水管を接続して差出したことを特徴とする排水管路構造。
【請求項２】
該可撓管の屋内上流側は、該可撓管の上流端部に取付けられている接続ソケットに接続する管継手を介して、屋内排水設備からの内部排水管に接続している請求項１に記載の排水管路構造。
【請求項３】
該可撓管の上流下流両端部に取付けられている接続ソケットは円筒本体とナット部材とからなり、該円筒本体内周中間部に環状段部を形成して該環状段部より内側部分を可撓管挿着部とし、外側部分を管継手または外部排水管の挿着部とし、該円筒本体の外周内側よりにはねじ部を設け、更に該円筒本体の内側には該ナット部材を外嵌し、該ナット部材を該接続ソケットの円筒本体のねじ部に螺着固定した請求項１または請求項２に記載の排水管路構造。
【請求項４】
該ナット部材の内端には、可撓管の両端部谷部に装着されている固定用部材の内側に係合する係合フランジが設けられている請求項３に記載の排水管路構造。
【請求項５】
該接続ソケットの円筒本体の外端部外周にはシールリングの装着溝が設けられており、該装着溝には該接続ソケットと該スリーブとの間をシールするシールリングが装着されており、更に該可撓管の両端部の谷部には該可撓管と該接続ソケットの円筒本体との間をシールするリング状パッキンが装着されている請求項１〜請求項４に記載の排水管路構造。
【請求項６】
コンクリートを打込んで基礎を構築する場合に、スリーブをインサートしておき、可撓管の下流端部または上流下流両端部に接続ソケットのナット部材を外嵌し、更に該可撓管の下流端部または上流下流両端部に接続ソケットの円筒本体を外嵌し、該接続ソケットの円筒本体とナット部材とを螺着固定し、このようにして下流端部または上流下流両端部に接続ソケットを取付けた可撓管を該スリーブ内に屋内上流側から挿入し、該可撓管下流端側の接続ソケットを該スリーブ下流端側から外出させて該接続ソケットのシールリング装着溝にシールリングを装着した上で、該接続ソケットを該スリーブ内に引込み、該可撓管の上流側は屋内排水設備からの内部排水管に集合ますを介しまたは集合ますを介することなく連絡し、該可撓管の下流側は該可撓管の下流端部の接続ソケットに屋外排水設備からの外部排水管を接続して差出したことを特徴とする排水管路の構築方法。
【請求項７】
該可撓管の屋内上流側は、該可撓管の上流端部に取付けられている接続ソケットに接続する管継手を介して、屋内排水設備からの内部排水管に接続している請求項６に記載の排水管路の構築方法。
【請求項８】
該ナット部材の内端には、可撓管の両端部谷部に装着されている固定用部材の内側に係合する係合フランジが設けられている請求項６または請求項７に記載の排水管路の構築方法。
【請求項９】
該可撓管の両端部の谷部には該可撓管と該接続ソケットとの間をシールするリング状パッキンが装着されている請求項８に記載の排水管路の構築方法。
【請求項１０】
該スリーブは、コンクリートを打込んで基礎を構築した後に、上流側外出部を所定長に切り揃えられる請求項６〜請求項９に記載の排水管路の構築方法。
【発明の詳細な説明】
【０００１】
【発明の属する技術分野】
本発明は建物の排水管路構造および排水管路の構築方法に関する。
【０００２】
【従来の技術】
従来、建物の排水管路構造として、建物基礎内にスリーブを貫通させ、該スリーブ内に可撓管を挿入し、該可撓管の屋内上流側に屋内排水設備からの内部排水管を接続し、該可撓管の屋外下流側に屋外排水設備からの外部排水管を接続した排水管路構造であって、スリーブの開口端部と可撓管との間にシール剤を充填したものが提供されている（特許文献１参照）。
また、他の従来の排水管路構造として、建物基礎内にスリーブを貫通させ、該スリーブ内に可撓管を挿入し、該可撓管の屋内上流側に屋内排水設備からの内部排水管を接続し、該可撓管の屋外下流側に屋外排水設備からの外部排水管を接続した排水管路構造であって、スリーブの開口端部と可撓管との間にキャップを取付けたものが提供されている（特許文献２参照）。
更に他の従来の排水管路構造として、建物基礎内にスリーブを貫通させ、該スリーブ内に可撓管を挿入し、該可撓管の屋内上流側に屋内排水設備からの内部排水管を接続し、該可撓管の屋外下流側に屋外排水設備からの外部排水管を接続した排水管路構造であって、スリーブの開口端部と可撓管との間にパッキンを取付けたものが提供されている（特許文献３参照）。
上記のようにスリーブの開口端部と可撓管との間をシール剤、キャップ、パッキンでシールすることによって、スリーブと可撓管の間から雨水や地下水等が侵入するのを防止している。
【０００３】
【特許文献１】
特開２００２−５４２０３号公報（第２−３頁、第１図、第２図）
【特許文献２】
特開２００２−２２７２６６号公報（第５−６頁、第７図）
【特許文献３】
特開２００２−１１５２９４号公報（第６頁、第３図）
【０００４】
【発明が解決しようとする課題】
しかしながら、上記従来の排水管路構造では、スリーブの開口端部と可撓管との間にシール剤を充填する場合に、可撓管の挿入が完了した後にシール剤を充填する場合には、シール剤の充填作業が非常に困難になるという問題があり、更に、シール剤を用いるとシール剤がずれてシール不良が生じやすいという問題があった。
また、他の従来の排水管路構造では、スリーブの開口端部と可撓管との間にキャップを取付ける場合に、可撓管の挿入が完了した後にキャップを取付けると、キャップの取付けに手間や労力を要し、作業性が悪くなるという問題があった。更に他の従来の排水管路構造では、スリーブの開口端部と可撓管との間にパッキンを取付ける場合に、可撓管を挿入する前にパッキンを取付け、その後に可撓管をスリーブ内に挿入すると、パッキン外周がスリーブ内周に干渉して、可撓管の挿入作業の作業性が悪くなるという問題があり、更に、可撓管を挿入する際に、パッキン外周がスリーブ内周との干渉によって摩損してシール不良の原因となるという問題があった。
【０００５】
【課題を解決するための手段】
本発明は上記従来の課題を解決するための手段として、建物基礎（２）  内にスリーブ（３）  を貫通させ、該スリーブ（３）  内には下流端部または上流下流両端部に接続ソケット（５）  を取付けた可撓管（４）  を挿入し、該可撓管（４）  の屋内上流側は屋内排水設備からの内部排水管（７）  に集合ます（２２）を介しまたは集合ます（２２）を介することなく連絡し、該可撓管（４）  の屋外下流側は該可撓管（４）  の下流端部に取付けられている接続ソケット（５）  に屋外排水設備からの外部排水管（８）  を接続して差出した排水管路構造（１）  を提供するものである。
該可撓管（４）  の屋内上流側は、該可撓管（４）  の上流端部に取付けられている接続ソケット（５）  に接続する管継手（６）  を介して、屋内排水設備からの内部排水管（７）  に接続していることが望ましい。
また、該可撓管（４）  の上流下流両端部に取付けられている接続ソケット（５）  は円筒本体（９）  とナット部材（１４）とからなり、該円筒本体（９）  内周中間部に環状段部（１０）を形成して該環状段部（１０）より内側部分を可撓管（４）  挿着部（１１）とし、外側部分を管継手（６）  または外部排水管（８）  の挿着部（１２）とし、該円筒本体（９）  の外周内側よりにはねじ部（１３）を設け、更に該円筒本体（９）  の内側には該ナット部材（１４）を外嵌し、該ナット部材（１４）を該接続ソケット（５）  の円筒本体（９）  のねじ部（１３）に螺着固定したことが望ましく、更に、該ナット部材（１４）の内端には、可撓管（４）  の両端部谷部に装着されている固定用部材（１６）の内側に係合する係合フランジ（１７）が設けられていることが望ましい。
更に、該接続ソケット（５）  の円筒本体（９）  の外端部外周にはシールリング（２０）の装着溝（１９）が設けられており、該装着溝（１９）には該接続ソケット（５）  と該スリーブ（３）  との間をシールするシールリング（２０）が装着されており、更に該可撓管（４）  の両端部の谷部には該可撓管（４）  と該接続ソケット（５）  の円筒本体（９）  との間をシールするリング状パッキン（１８）が装着されていることが望ましい。
また本発明では、コンクリートを打込んで基礎（２）  を構築する場合に、スリーブ（３）  をインサートしておき、可撓管（４）  の下流端部または上流下流両端部に接続ソケット（５）  のナット部材（１４）をそれぞれ外嵌し、更に該可撓管（４）  の下流端部または上流下流両端部に接続ソケット（５）  の円筒本体（９）  を外嵌し、該接続ソケット（５）  の円筒本体（９）  とナット部材（１４）とを螺着固定し、このようにして下流端部または上流下流両端部に接続ソケット（５）  を取付けた可撓管（４）  を該スリーブ（３）  内に屋内上流側から挿入し、該可撓管（４）  下流端側の接続ソケット（５）  を該スリーブ（３）  下流端側から外出させて該接続ソケット（５）  のシールリング装着溝（１９）にシールリング（２０）を装着した上で、該接続ソケット（５）  を該スリーブ（３）  内に引込み、該可撓管（４）  の屋内上流側は屋内排水設備からの内部排水管（７）  に集合ます（２２）を介しまたは集合ます（２２）を介することなく連絡し、該可撓管（４）  の屋外下流側は該可撓管（４）  の下流端部の接続ソケット（５）  に屋外排水設備からの外部排水管（８）  を接続して差出した排水管路の構築方法が提供される。
該可撓管（４）  の屋内上流側は、該可撓管（４）  の上流端部に取付けられている接続ソケット（５）  に接続する管継手（６）  を介して、屋内排水設備からの内部排水管（７）  に接続していることが望ましい。
また、該ナット部材（１４）の内端には、可撓管（４）  の両端部谷部に装着されている固定用部材（１６）の内側に係合する係合フランジ（１７）が設けられていることが望ましく、更に、該可撓管（４）  の両端部の谷部には該可撓管（４）  と該接続ソケット（５）  との間をシールするリング状パッキン（１８）が装着されていることが望ましい。
更に、該スリーブ（３）  は、コンクリートを打込んで基礎（２）  を構築した後に、上流側外出部を所定長に切り揃えられることが望ましい。
【０００６】
【作用】
本発明の排水管構造（１）  および排水管路の構築方法では、スリーブ（３）  と可撓管（４）  との間を容易にシールすることが出来るとともに、スリーブ（３）  内での可撓管（４）  の固定を容易に行なうことが出来る。
【０００７】
【発明の実施の形態】
〔実施例１〕
本発明を図１〜図６に示す一実施例によって説明する。
図１に示すように、排水管路構造（１）  は、建物基礎（２）  内に貫通されるスリーブ（３）  と、該スリーブ（３）  内に挿入される可撓管（４）  とを有しており、該可撓管（４）  の上流下流両端部には接続ソケット（５）  がそれぞれ取付けられている。
屋内上流側において該可撓管（４）  の上流端部に取付けられている接続ソケット（５）  には、管継手（６）  を介して屋内排水設備からの内部排水管（７）  が接続されており、屋内下流側において該可撓管（４）  の下流端部に取付けられている接続ソケット（５）  には、屋外排水設備からの外部排水管（８）  が接続されて差出されている。
【０００８】
該接続ソケット（５）  は円筒本体（９）  とナット部材（１４）とからなり、該円筒本体（９）  内周中間部には環状段部（１０）が形成されており、該環状段部（１０）より内側部分は可撓管（４）  の挿着部（１１）とされており、該環状段部（１０）より外側部分は管継手（６）  または外部排水管（８）  の挿着部（１２）とされており、該円筒本体（９）  の外周内側よりにはねじ部（１３）が設けられている。一方、該ナット部材（１４）の内周にはねじ部（１５）が設けられており、該ナット部材（１４）の内端には係合フランジ（１７）が設けられている（図３および図４参照）。
【０００９】
該可撓管（４）  の上流下流両端部において、該接続ソケット（５）  のナット部材（１４）を可撓管（４）  にそれぞれ摺動可能に外嵌し、更に該接続ソケット（５）  の円筒本体（９）  の可撓管挿着部（１１）に該可撓管（４）  の端部をそれぞれ挿着した後、該ナット部材（１４）のねじ部（１５）を該円筒本体（９）  のねじ部（１３）に螺着することによって、該円筒本体（９）  を該ナット部材（１４）によって該可撓管（４）  の上流下流両端部に固定して接続ソケット（５）  を構成する（図３および図４参照）。
【００１０】
可撓管（４）  の上流下流両端部の谷部には、固定用部材としてのＣリング（１６）が装着されており、該Ｃリング（１６）の内側には、該接続ソケット（５）  の円筒本体（９）  とナット部材（１４）を螺着固定した状態で、該ナット部材（１４）の係合フランジ（１７）が係合する。また、該可撓管（４）  の上流下流両端部の谷部には、該可撓管（４）  と該接続ソケット（５）  の円筒本体（９）  との間をシールするリング状パッキンとしてのＯリング（１８）が装着されている（図３および図４参照）。
【００１１】
該接続ソケット（５）  の円筒本体（９）  の外端部外周には、シールリング（２０）の装着溝（１９）が設けられており、該装着溝（１９）には、該接続ソケット（５）  の円筒本体（９）  と該スリーブ（３）  との間をシールするシールリング（２０）が装着されており、該シールリング（２０）の外端部の外周には環状係止部（２１）が凸設されている（図５および図６参照）。
【００１２】
上記の排水管路を構築する場合には、図２に示すように、先ず、コンクリートを打込んで建物の基礎（２）  を構築する際に、スリーブ（３）  を基礎（２）  内にインサートしておく。そして、図２において破線で示すように、コンクリートを打込んで基礎（２）  を構築した後に、該スリーブ（３）  の上流側外出部を所定長に切り揃えるとともに、該スリーブ（３）  の長さと対応した長さに可撓管（４）  の上流側外出部を切り揃える。
このとき、該スリーブ（３）  の上流側外出部の一部が基礎（２）  表面上Ｐに位置するように切り揃えると、床下高さを有効に使うことが出来、必要な管路勾配を取りやすくなる。
【００１３】
次に、図３に示すように、可撓管（４）  の上流下流両端部に接続ソケット（５）  のナット部材（１４）をそれぞれ摺動可能に外嵌し、その後、該可撓管（４）  の上流下流両端部の谷部にリング状パッキンとしてのＯリング（１８）を装着した状態で、該接続ソケット（５）  の円筒本体（９）  の可撓管挿着部（１１）に該可撓管（４）  の端部をそれぞれ挿着して、該可撓管（４）  の上流下流両端部に接続ソケット（５）  の円筒本体（９）  を外嵌し、更に、可撓管（４）  の上流下流両端部の谷部に固定用部材としてのＣリング（１６）を装着する。
【００１４】
そして、図４に示すように、該接続ソケット（５）  のナット部材（１４）のねじ部（１５）を該接続ソケット（５）  の円筒本体（９）  のねじ部（１３）に螺着することによって、該円筒本体（９）  を該ナット部材（１４）によって該可撓管（４）  の上流下流両端部に固定する。この場合、該ナット部材（１４）を該接続ソケット（５）  に螺着固定するときに、Ｃリング（１６）の内側にナット部材（１４）の係合フランジ（１７）が係合することによって、該接続ソケット（５）  と該ナット部材（１４）とは確実に固定される。
【００１５】
上記のようにして接続ソケット（５）  を上流下流両端部に取付けた可撓管（４）  を、図５に示すように、基礎（２）  内にインサートされたスリーブ（３）  内に屋内上流側から挿入して、該可撓管（４）  下流端側の接続ソケット（５）  を該スリーブ（３）  下流端側から外出させて、該接続ソケット（５）  のシールリング装着溝（１９）にシールリング（２０）を外嵌して装着する。
【００１６】
そして、図６に示すように、シールリング（２０）を装着した接続ソケット（５）  を該スリーブ（３）  内に引込んで、シールリング（２０）の環状係止部（２１）をスリーブ（３）  の外端部に係止させる。最後に、屋内上流側において該可撓管（４）  の上流端部に取付けられた接続ソケット（５）  の円筒本体（９）  の管継手挿着部（１２）に、管継手（６）  を介して屋内排水設備からの内部排水管（７）  を接続するとともに、屋内下流側において該可撓管（４）  の下流端部に取付けられた接続ソケット（５）  の円筒本体（９）  の外部排水管挿着部（１２）に、屋外排水設備からの外部排水管（８）  を接続する（図１参照）。
【００１７】
上記のようにしてシールリング（２０）を取付けることによって、スリーブ（３）  と可撓管（４）  との間を容易にシールすることが出来るとともに、スリーブ（３）  内での可撓管（４）  の固定を容易に行なうことが出来る。
したがって、シールリング（２０）の取付けに手間や労力を要することがなく、作業性が大幅に向上し、更に、スリーブ（３）  と可撓管（４）  との間でシール不良が発生するのを防ぐことができる。
【００１８】
〔実施例２〕
図７には他の実施例が示される。
本実施例では、図７に示すように、排水管路構造（１）  は、建物基礎（２）  内に貫通されるスリーブ（３）  と、該スリーブ（３）  内に挿入される可撓管（４）  とを有しており、該可撓管（４）  の下流端部には接続ソケット（５）  が取付けられている。
該可撓管（４）  の屋内上流側は、接続ソケット（５）  を介することなく、集合ます（２２）の下流側の受口（２３）に直接接続されており、集合ます（２２）の上流側の受口（２３）には可撓管（４）  が接続されており、該集合ます（２２）の上流側の受口（２３）に接続された可撓管（４）  は管継手（６）  および立管（２４）を介して屋内排水設備からの内部排水管（７）  が接続されている。一方、屋内下流側において該可撓管（４）  の下流端部に取付けられている接続ソケット（５）  には、実施例１と同様、屋外排水設備からの外部排水管（８）  が接続されて差出されている。
【００１９】
該集合ます（２２）の受口（２３）は、接続ソケット（５）  の円筒本体（９）  と同様の構造を有している。すなわち、該集合ます（２２）の受口（２３）の内周中間部には環状段部（１０）が形成されており、該環状段部（１０）より内側部分は可撓管（４）  の挿着部（１１）とされており、該受口（２３）の外周内側よりにはねじ部（１３）が設けられている（図３および図４参照）。
【００２０】
上記の排水管路を構築する場合には、先ず、コンクリートを打込んで建物の基礎（２）  を構築する際に、スリーブ（３）  を基礎（２）  内にインサートしておき、コンクリートを打込んで基礎（２）  を構築した後に、該スリーブ（３）  の上流側外出部を所定長に切り揃える。
このとき、可撓管（４）  の上流側外出部は、切り揃えることなく、外出させたままの状態としておく。
【００２１】
次に、実施例１と同様にして、可撓管（４）  の下流端部に接続ソケット（５）  の円筒本体（９）  を外嵌して、ナット部材（１４）によって螺着・固定し（図３および図４参照）、その後、該可撓管（４）  をスリーブ（３）  内に屋内上流側から挿入して、該可撓管（４）  下流端側の接続ソケット（５）  を該スリーブ（３）  下流端側から外出させ、該接続ソケット（５）  にシールリング（２０）を装着し（図５参照）、そして、接続ソケット（５）  を該スリーブ（３）  内に引込んで（図６参照）、該接続ソケット（５）  に屋外排水設備からの外部排水管（８）  を接続する（図７参照）。
【００２２】
その後、可撓管（４）  の下流端部に接続ソケット（５）  を取付けた場合と同様にして、可撓管（４）  の上流端部にナット部材（１４）を摺動可能に外嵌し、該可撓管（４）  の上流端部の谷部にリング状パッキンとしてのＯリング（１８）を装着した状態で、集合ます（２２）の下流側の受口（２３）の可撓管挿着部（１１）に該可撓管（４）  の上流端部を挿着して、該可撓管（４）  の上流端部に該集合ます（２２）の下流側の受口（２３）を外嵌し、更に、可撓管（４）  の上流端部の谷部に固定用部材としてのＣリング（１６）を装着する（図３参照）。
【００２３】
そして、該集合ます（２２）の下流側の受口（２３）のねじ部（１３）にナット部材（１４）のねじ部（１５）を螺着することによって、該集合ます（２２）の下流側の受口（２３）に該可撓管（４）  の上流端部を固定する（図４参照）。最後に、集合ます（２２）の上流側の受口（２３）に可撓管（４）  を接続し、該可撓管（４）  を管継手（６）  および立管（２４）を介して屋内排水設備からの内部排水管（７）  に接続する（図７参照）。
【００２４】
〔実施例３〕
図８には更に他の実施例が示される。
本実施例では、図８に示すように、排水管路構造（１）  は、建物基礎（２）  内に貫通されるスリーブ（３）  と、該スリーブ（３）  内に挿入される可撓管（４）  とを有しており、該可撓管（４）  の下流端部には接続ソケット（５）  が取付けられている。
該可撓管（４）  の屋内上流側は、集合ます（２２）を介することなく、管継手（６）  の下流側に直接接続されており、該管継手（６）  は、管固定具（２５）によって床に固定された立管（２４）を介して、例えばトイレ等の屋内排水設備からの内部排水管（７）  が接続されており、更に、該可撓管（４）  は、スリーブ（３）  と管継手（６）  との間において、可撓管（４）  を安定に支持するための管支持具（２６）によって支持されている。一方、屋内下流側において該可撓管（４）  の下流端部に取付けられている接続ソケット（５）  には、実施例１と同様、屋外排水設備からの外部排水管（８）  が接続されて差出されている。
【００２５】
該管継手（６）  の下流側は、接続ソケット（５）  の円筒本体（９）  と同様の構造を有している。すなわち、該管継手（６）  の下流側の内周中間部には環状段部（１０）が形成されており、該環状段部（１０）より内側部分は可撓管（４）  の挿着部（１１）とされており、該該管継手（６）  の下流側の外周内側よりにはねじ部（１３）が設けられている（図３および図４参照）。
【００２６】
上記の排水管路を構築する場合には、先ず、コンクリートを打込んで建物の基礎（２）  を構築する際に、スリーブ（３）  を基礎（２）  内にインサートしておき、コンクリートを打込んで基礎（２）  を構築した後に、該スリーブ（３）  の上流側外出部を所定長に切り揃える。
このとき、可撓管（４）  の上流側外出部は、切り揃えることなく、外出させたままの状態としておく。
【００２７】
次に、実施例１と同様にして、可撓管（４）  の下流端部に接続ソケット（５）  の円筒本体（９）  を外嵌して、ナット部材（１４）によって螺着・固定し（図３および図４参照）、その後、該可撓管（４）  をスリーブ（３）  内に屋内上流側から挿入して、該可撓管（４）  下流端側の接続ソケット（５）  を該スリーブ（３）  下流端側から外出させ、該接続ソケット（５）  にシールリング（２０）を装着し（図５参照）、そして、接続ソケット（５）  を該スリーブ（３）  内に引込んで（図６参照）、該接続ソケット（５）  に屋外排水設備からの外部排水管（８）  を接続する（図８参照）。
【００２８】
その後、可撓管（４）  の下流端部に接続ソケット（５）  を取付けた場合と同様にして、可撓管（４）  の上流端部にナット部材（１４）を摺動可能に外嵌し、該可撓管（４）  の上流端部の谷部にリング状パッキンとしてのＯリング（１８）を装着した状態で、管継手（６）  の下流側の可撓管挿着部（１１）に該可撓管（４）  の上流端部を挿着して、該可撓管（４）  の上流端部に該管継手（６）  の下流側を外嵌し、更に、可撓管（４）  の上流端部の谷部に固定用部材としてのＣリング（１６）を装着する（図３参照）。
【００２９】
そして、該管継手（６）  の下流側のねじ部（１３）にナット部材（１４）のねじ部（１５）を螺着することによって、該管継手（６）  の下流側に該可撓管（４）  の上流端部を固定する（図４参照）。最後に、管継手（６）  の上流側に立管（２４）を接続して、該立管（２４）を管固定具（２５）によって床に固定するとともに、該立管（２４）に屋内排水設備からの内部排水管（７）  を接続し、更に、可撓管（４）  に管支持具（２６）を装着する（図８参照）。
【００３０】
以上、本発明の実施の形態を実施例１〜実施例３により説明したが、本発明の範囲はこれらに限定されるものではなく、請求項に記載された範囲内において目的に応じて変更・変形することが可能である。
【００３１】
【発明の効果】
本発明では、スリーブと可撓管との間を容易にシールすることが出来るとともに、スリーブ内での可撓管の固定を容易に行なうことが出来るため、シールリングの取付けに手間や労力を要することがなく、作業性が大幅に向上し、更に、スリーブと可撓管との間のシール不良の発生を防ぐことができる。
【図面の簡単な説明】
図１〜図６は本発明の一実施例を示すものである。
【図１】排水管路構造の説明側断面図である。
【図２】建物基礎内にスリーブを貫通させた様子を示す説明側断面図である。
【図３】可撓管の端部にナット部材を外嵌し、更に接続ソケットを外嵌した様子を示す説明側断面図である。
【図４】可撓管の端部に接続ソケットを取付けた様子を示す説明側断面図である。
【図５】可撓管下流側の接続ソケットをスリーブ下流端側から外出させた様子を示す説明側断面図である。
【図６】可撓管下流側の接続ソケットをスリーブ内に引込んだ様子を示す説明側断面図である。
【図７】他の実施例の排水管路構造の説明側断面図である。
【図８】更に他の実施例の排水管路構造の説明側断面図である。
【符号の説明】
１            排水管路構造
２            建物の基礎
３            スリーブ
４            可撓管
５            接続ソケット
６            管継手
７            内部排水管
８            外部排水管
９            円筒本体
１０            環状段部
１１                可撓管の挿着部
１２            管継手または排水管の挿着部
１３            ねじ部
１４            ナット部材
１６            固定用部材（Ｃリング）
１７            係合フランジ
１８            リング状パッキン（Ｏリング）
１９            シールリング装着溝
２０            シールリング
２２            集合ます
【図１】
2004162324.tif 000003
【図２】
2004162324.tif 000004
【図３】
2004162324.tif 000005
【図４】
2004162324.tif 000006
【図５】
2004162324.tif 000007
【図６】
2004162324.tif 000008
【図７】
2004162324.tif 000009
【図８】
2004162324.tif 000010